【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
識別情報を受け取るように構成される第１の入力フィールド及び公開鍵を受け取るように構成される第２の入力フィールドを含む第１のユーザインタフェースを提示するよう画面を制御し、前記第１の入力フィールドで受け取られる識別情報及び前記第２の入力フィールドで受け取られる公開鍵の、他の情報処理装置での登録のために該他の情報処理装置への送信を制御する電子回路を備える、情報処理装置。
【請求項２】
前記電子回路は、前記公開鍵及び秘密鍵を生成する、請求項１に記載の情報処理装置。
【請求項３】
前記電子回路は、前記公開鍵及び前記秘密鍵を格納する、請求項２に記載の情報処理装置。
【請求項４】
前記電子回路は、前記他の情報処理装置に対するサービスにアクセスするためのリクエストを送信する、請求項１〜３のいずれかに記載の情報処理装置。
【請求項５】
前記電子回路は、前記サービスにアクセスするための前記リクエストに対する前記他の情報処理装置からの情報のリクエストを受信する、請求項４に記載の情報処理装置。
【請求項６】
前記電子回路は、前記他の情報処理装置からの情報のリクエストの受信に応じて前記公開鍵を生成する、請求項５に記載の情報処理装置。
【請求項７】
前記電子回路は、前記第１のユーザインタフェースを提示するよう前記画面を制御するとともに、前記他の情報処理装置からの情報のリクエストの受信に応じた前記識別情報及び前記公開鍵の送信を制御する、請求項５に記載の情報処理装置。
【請求項８】
前記第１のユーザインタフェースの前記第１の入力フィールド及び前記第２の入力フィールドは、文字の入力フィールドであり、ユーザの前記第１の入力フィールド及び前記第２の入力フィールドへの文字入力を受け付けるよう構成されている、請求項１〜７のいずれかに記載の情報処理装置。
【請求項９】
前記電子回路は、前記公開鍵及び前記識別情報が前記他の情報処理装置に登録された後に前記他の情報処理装置で認証が実行される際に、前記識別情報を受け取るように構成される第３の入力フィールドを含む第２のユーザインタフェースを提示するよう画面を制御する、請求項２に記載の情報処理装置。
【請求項１０】
前記電子回路は、前記第２のユーザインタフェースで入力された前記識別情報を前記他の情報処理装置へ送信する、請求項９に記載の情報処理装置。
【請求項１１】
前記電子回路は、前記他の情報処理装置への前記識別情報の送信に応じた前記他の情報処理装置からのチャレンジメッセージを受信するよう構成される、請求項１０の記載の情報処理装置。
【請求項１２】
前記電子回路は、少なくとも一つの前記秘密鍵及び前記秘密鍵に対応するパスフレーズを受け取るように構成される第４の入力フィールドを含む第３のユーザインタフェースを提示するよう画面を制御する、請求項１１に記載の情報処理装置。
【請求項１３】
前記電子回路は、少なくとも１つの前記秘密鍵及び前記秘密鍵に対応する前記パスフレーズに基づいて前記チャレンジメッセージに対する応答を生成する、請求項１２に記載の情報処理装置。
【請求項１４】
前記電子回路は、前記チャレンジメッセージに対する前記応答を前記他の情報処理装置へ送信する、請求項１３に記載の情報処理装置。
【請求項１５】
前記電子回路は、前記他の情報処理装置において前記チャレンジメッセージが正しく解答されたと判断された際に、前記他の情報処理装置が提供するサービスへのアクセスを制御する、請求項１４に記載の情報処理装置。
【請求項１６】
前記公開鍵は、ｎ変数の２次多項式（ｎは２以上の整数）で構成される関数を用いて生成される公開鍵である、請求項１〜１５のいずれかに記載の情報処理装置。
【請求項１７】
識別情報を受けとるように構成される第１の入力フィールド及び公開鍵を受け取るように構成される第２の入力フィールドを含む第１のユーザインタフェースを提示するよう画面を制御することと、
前記第１の入力フィールドで受け取られる識別情報及び前記第２の入力フィールドで受け取られる公開鍵の、他の情報処理装置での登録のために該他の情報処理装置への送信を制御することと、
を含む、情報処理方法。
【請求項１８】
情報処理装置で実行される、コンピュータで読み取り可能なコンピュータプログラムが記録された記録媒体であり、
前記情報処理装置を、
識別情報を受けとるように構成される第１の入力フィールド及び公開鍵を受け取るように構成される第２の入力フィールドを含む第１のユーザインタフェースを提示するよう画面を制御し、前記第１の入力フィールドで受け取られる識別情報及び前記第２の入力フィールドで受け取られる公開鍵の、他の情報処理装置での登録のために該他の情報処理装置への送信を制御するよう機能させる、コンピュータプログラムが記録された記録媒体。
【請求項１９】
識別情報を受けとるように構成される第１の入力フィールド及び公開鍵を受け取るように構成される第２の入力フィールドを含む第１のユーザインタフェースを提示するような指示を他の情報処理装置へ送信し、前記第１の入力フィールドで受け取られる識別情報及び前記第２の入力フィールドで受け取られる公開鍵を前記他の情報処理装置から受信し、前記公開鍵に関連づけて前記識別情報を登録する電子回路を含む、情報処理装置。
【請求項２０】
識別情報を受けとるように構成される第１の入力フィールド及び公開鍵を受け取るように構成される第２の入力フィールドを含む第１のユーザインタフェースを提示するような指示を他の情報処理装置へ送信することと、
前記第１の入力フィールドで受け取られる識別情報及び前記第２の入力フィールドで受け取られる公開鍵を前記他の情報処理装置から受信することと、
前記公開鍵に関連づけて前記識別情報を登録することと、
を含む、情報処理方法。
【請求項２１】
情報処理装置で実行される、コンピュータで読み取り可能なコンピュータプログラムが記録された記録媒体であり、
前記情報処理装置を、
識別情報を受けとるように構成される第１の入力フィールド及び公開鍵を受け取るように構成される第２の入力フィールドを含む第１のユーザインタフェースを提示するような指示を他の情報処理装置へ送信し、前記第１の入力フィールドで受け取られる識別情報及び前記第２の入力フィールドで受け取られる公開鍵を前記他の情報処理装置から受信し、前記公開鍵に関連づけて前記識別情報を登録するよう機能させる、コンピュータプログラムが記録された記録媒体。
【請求項２２】
識別情報を受けとるように構成される第１の入力フィールド及び公開鍵を受け取るように構成される第２の入力フィールドを含む第１のユーザインタフェースを提示するよう画面を制御し、前記第１の入力フィールドで受け取られる識別情報及び前記第２の入力フィールドで受け取られる公開鍵の、他の情報処理装置での登録のために該他の情報処理装置への送信を制御する電子回路を含む第１の情報処理装置と、
前記識別情報を受けとるように構成される第１の入力フィールド及び公開鍵を受け取るように構成される第２の入力フィールドを含む第１のユーザインタフェースを提示するような指示を他の情報処理装置へ送信し、前記第１の入力フィールドで受け取られる識別情報及び前記第２の入力フィールドで受け取られる公開鍵を前記他の情報処理装置から受信し、前記公開鍵に関連づけて前記識別情報を登録する電子回路を含む第２の情報処理装置と、
を備える、情報処理システム。
【請求項２３】
第１の情報処理装置によって、識別情報を受けとるように構成される第１の文字入力フィールド及び公開鍵を受け取るように構成される第２の文字入力フィールドを含むユーザインタフェースを表示することと、
前記第１の情報処理装置によって、前記第１の文字入力フィールドで受け取られる識別情報及び前記第２の文字入力フィールドで受け取られる公開鍵を第２の情報処理装置へ送信することと、
前記第２の情報処理装置によって、前記第１の情報処理装置から前記識別情報及び前記公開鍵を受信することと、
前記第２の情報処理装置によって、前記公開鍵に関連づけて前記識別情報を登録することと、
を含む、情報処理方法。